(57)【要約】  本発明は、回転アセンブリが備えられた洋式便器用カバーに関し、後方部に構成される回転フランジと、回転フランジに回転自在に結合されるカバー部材と、前記カバー部材が結合される便座シートと、洋式便器に結合し、球状の回転ガイド溝が形成される回転支持パネルと、前記回転支持パネルに回転作動されるように結合し、カバー部材と便座シートを洋式便器に連結する回転部材及び前記便座シートの後方に構成され、前記回転部材の端部と連結され、前記便座シートとカバー部材の位置変更時に前記回転部材を回転させる回転アセンブリと、前記便座シートとカバー部材の位置変更時に発生する回転力を用いて水出し手段を作動させる水出し装置とを含むことを特徴とする。
2019534761.tif 000002
【特許請求の範囲】
【請求項１】
後方部に構成される回転フランジと、上部が前記回転フランジに回転自在に結合される上部ヒンジパネルを含む開閉パネルが構成されたカバー部材と、
前記上部ヒンジパネルの下部が結合される下部ヒンジパネルが構成される便座シートと、
洋式便器に結合し、球状の回転ガイド溝が形成される回転支持パネルと、前記回転支持パネルに回転作動されるように結合し、カバー部材と便座シートを洋式便器に連結する回転部材、及び前記便座シートの後方に構成され、前記回転部材の端部と連結され、前記便座シートとカバー部材の位置変更時に前記回転部材を回転させる連結フランジから構成された回転アセンブリと、
を含み、
前記回転部材は、前記便座シートの回転作動時に前記回転ガイド溝内で回転される回転ボールと、前記回転ボールの後方に一体に延長形成される連結軸と、前記連結軸の後方側の端部に形成され、前記連結フランジと回転結合されるカバー連結部とをさらに含むことを特徴とする回転アセンブリが備えられた洋式便器用カバー。
【請求項２】
前記便座シートは、前記連結軸の円周方向に沿って１８０°又は３６０°回転作動されることを特徴とする、請求項１に記載の回転アセンブリが備えられた洋式便器用カバー。
【請求項３】
前記回転支持パネルには、前記連結軸の上下回転作動されるように前記回転ガイド溝の前方に貫通するよう形成され、前記回転支持パネルの後方側に向かうほど、その直径が次第に広がる形態に構成される軸貫通孔がさらに構成されることを特徴とする、請求項１に記載の回転アセンブリが備えられた洋式便器用カバー。
【請求項４】
前記洋式便器用カバーには、前記便座シートとカバー部材の位置変更時に発生する回転力を用いて水出し手段を作動させる水出し装置をさらに含み、
前記水出し装置は、
前記回転ボールの外周面に構成される駆動スプロケットと、
前記駆動スプロケットから提供される回転力によって左右方向に回転作動する回転スプロケットと、
前記回転スプロケットに前方に構成される作動スプロケットと、
前記駆動スプロケットと回転スプロケットとを連結する駆動ベルトと、
前記作動スプロケットと水出し手段を連結し、前記作動スプロケットの回転時に前記水出し手段を作動させる作動ベルトと、
を含むことを特徴とする、請求項１に記載の回転アセンブリが備えられた洋式便器用カバー。
【発明の詳細な説明】
【技術分野】
【０００１】
本発明は、回転アセンブリが備えられた洋式便器用カバーに関する。より詳しくは、洋式便器内の汚物を除去するとき、水圧によって汚物が飛散しながらカバーの内面部及びシートの内外面の全てを汚染させることを防止することにより、洋式便器用カバー及びシートを清潔に管理することのできる回転アセンブリの備えられた洋式便器用カバーに関する。
【背景技術】
【０００２】
洋式便器とは、人が腰を掛けて用便するよう形成された水洗式の洋式便器であって、用便できるように上部面の開放された形態の内部空間が形成された便器本体と、便器本体の後方に連結されて便器本体に水を供給する水槽から構成される。
【０００３】
このような洋式便器は、便座にユーザが座るとき、ユーザの体が汚染されないように、一端が後部分にヒンジ結合されたシートと、使用しない場合には便座部分をカバーし、その内部が見えないようにするためのカバーで構成されている。
【０００４】
しかし、一般的な洋式便器の場合、用便をすました後トイレペーパーで後処理するとき、たとえ、自分の用便物であっても肉眼上で見ることになるため不快を感じ、カバーを閉じたまま流すことになるが、ここで、一定の水圧で水が流入しながら洋式便器にある用便物がカバーとシートに飛散しながら汚染を発生させる。
【０００５】
特に、ユーザの皮膚と直接触れるカバーの内面とシートの内外面の全てに汚染が発生する恐れがある。
【０００６】
ここで、大韓民国公開特許第１０−２０１５−００１５６８８号には、洋式便器の胴体部上に設けられる洋式便器カバーやウォシュレット（登録商標）の洋式便器支持台（ｓｅａｔ）において、前記支持台を洋式便器の蓋、洋式便器の胴体部、又はウォシュレットの胴体部に連結される支持台連結部、前記支持台連結部と連結され、上板支持台を支持する下板支持台、回転自在な上板支持台、及び前記上板支持台が前記下板支持台の上部で回転できるように連結される回転連結部を含むことを特徴とする回転自在な洋式便器支持台が掲載されている。
【０００７】
しかし、前述した洋式便器支持台の場合、洋式便器の左右回転のみ可能になるよう構成されることで、カバー及びシートの位置だけが変更されることにより、飛散する用便物から充分に保護され難い問題がある。
【０００８】
また、洋式便器のカバー及びシートを持ち上げて使用する場合にも、一定の角度でしかできないように構成されているため、使用中の不注意によって急に落下しながら使用上の不便さを提供する問題がある。
【発明の概要】
【発明が解決しようとする課題】
【０００９】
このような問題を解決するために、本発明の目的は、前述した背景技術により案出されたものであり、洋式便器内の汚物を除去するとき、水圧によって汚物が飛散しながらカバーの内面部及びシートの内外面の全てを汚染させることを防止することで、洋式便器用カバー及びシートを清潔に管理できる回転アセンブリが備えられた洋式便器用カバーを提供することにある。
【００１０】
また、本発明の目的は、カバー部材の回転作動により自動で洋式便器に水を供給することで、より便利に洋式便器を使用できる回転アセンブリが備えられた洋式便器用カバーを提供することにある。
【課題を解決するための手段】
【００１１】
このような課題を達成するための本発明の一実施形態によれば、後方部に構成される回転フランジと、上部が前記回転フランジに回転自在に結合される上部ヒンジパネルを含む開閉パネルが構成されたカバー部材と、前記上部ヒンジパネルの下部が結合される下部ヒンジパネルが構成される便座シートと、洋式便器に結合し、球状の回転ガイド溝が形成される回転支持パネルと、前記回転支持パネルに回転作動されるように結合し、カバー部材と便座シートを洋式便器に連結する回転部材、及び前記便座シートの後方に構成され、前記回転部材の端部と連結され、前記便座シートとカバー部材の位置変更時に前記回転部材を回転させる連結フランジから構成された回転アセンブリと、前記便座シートとカバー部材の位置変更時に発生する回転力を用いて水出し手段を作動させる水出し装置をさらに含み、前記回転部材は、前記便座シートの回転作動時に前記回転ガイド溝内で３６０°回転される回転ボールと、前記回転ボールの後方に一体に延長形成される連結軸と、前記連結軸の後方側の端部に形成され、前記連結フランジと回転結合されるカバー連結部とをさらに含むことを特徴とする。
【００１２】
本発明の一実施形態によると、前記便座シートは、前記連結軸の円周方向に沿って１８０°又は３６０°回転作動されることを特徴とする。
【００１３】
本発明の一実施形態によると、前記水出し装置は、前記回転ボールの外周面に構成される駆動スプロケットと、前記駆動スプロケットから提供される回転力によって左右方向に回転作動する回転スプロケットと、前記回転スプロケットに前方に構成される作動スプロケットと、前記駆動スプロケットと回転スプロケットとを連結する駆動ベルトと、前記作動スプロケットと水出し手段を連結し、前記作動スプロケットの回転時に前記水出し手段を作動させる作動ベルトとを含むことを特徴とする。
【００１４】
本発明の一実施形態によると、前記回転支持パネルには、前記連結軸の上下回転作動されるように前記回転ガイド溝の前方に貫通するよう形成され、前記回転支持パネルの後方側に向かうほど、その直径が次第に広がる形態に構成される軸貫通孔がさらに構成されることを特徴とする。
【発明の効果】
【００１５】
このような本発明の実施形態によれば、洋式便器内の汚物を除去するとき、水圧によって汚物が飛散しながらカバーの内面部及びシートの内外面の全てを汚染させることを防止することで、洋式便器用カバー及びシートを清潔に管理できる効果がある。
【００１６】
また、本発明の実施形態によれば、カバー部材の回転作動により自動で洋式便器に水を供給することで、より便利に洋式便器を使用できる効果がある。
【図面の簡単な説明】
【００１７】
【図１】本発明の一実施形態に係る回転アセンブリが備えられた洋式便器用カバーを示した分解斜視図である。
【図２】本発明の一実施形態に係る洋式便器用カバーを示した結合断面図である。
【図３】本発明の一実施形態に係る洋式便器用カバーを示した作動状態図である。
【図４】本発明の一実施形態に係る洋式便器用カバーを示した作動状態図である。
【図５】本発明の一実施形態に係る洋式便器用カバーを示した異なる実施形態である。
【発明を実施するための形態】
【００１８】
後方部に構成される回転フランジと、上部が前記回転フランジに回転自在に結合される上部ヒンジパネルを含む開閉パネルが構成されたカバー部材と、前記上部ヒンジパネルの下部が結合される下部ヒンジパネルが構成される便座シートと、洋式便器に結合し、球状の回転ガイド溝が形成される回転支持パネルと、前記回転支持パネルに回転作動されるように結合し、カバー部材と便座シートを洋式便器に連結する回転部材及び前記便座シートの後方に構成され、前記回転部材の端部と連結されて前記便座シートとカバー部材の位置変更時に前記回転部材を回転させる連結フランジから構成された回転アセンブリを含み、前記回転部材は、前記便座シートの回転作動時に前記回転ガイド溝内で回転される回転ボールと、前記回転ボールの後方に一体に延長形成される連結軸と、前記連結軸の後方側の端部に形成され、前記連結フランジと回転結合されるカバー連結部をさらに含むことを特徴とする。
【００１９】
図１は、本発明の一実施形態に係る回転アセンブリが備えられた洋式便器用カバーを示した分解斜視図、図２は、本発明の一実施形態に係る洋式便器用カバーを示した結合断面図である。図３及び図４は、本発明の一実施形態に係る洋式便器用カバーを示した作動状態図である。図５は、本発明の一実施形態に係る洋式便器用カバーを示した異なる実施形態である。
【００２０】
図示するように、本発明の洋式便器用カバーは、カバー部材１１０、便座シート１２０、及び回転アセンブリ２００を含んで構成される。
【００２１】
カバー部材１１０は、便座シート１２０の上部面を密閉させるものとして、便座シート１２０と回転自在に結合されるよう開閉パネル１１２が構成されている。
【００２２】
ここで、開閉パネル１１２は、カバー部材１１０の後方部に一体構成される回転フランジ１１４と、回転フランジ１１４にヒンジなどのような通常の回転手段を介して回転結合し、カバー部材１１０と便座シート１２０とを結合する上部ヒンジパネル１１６から構成されている。
【００２３】
上部ヒンジパネル１１６は、上部が回転フランジ１１４と回転自在に結合し、下部が便座シート１２０の下部ヒンジパネル１２２に回転自在に結合されることで、カバー部材１１０が便座シート１２０から一定の角度だけ上下回転作動されるように構成されている。
【００２４】
便座シート１２０は、下部面が洋式便器の上部面に選択的に密着され、大便のような用便をしたとき、上部面はユーザの皮膚に直接触れるもので、カバー部材１１０が上下方向に回転作動されるよう上部ヒンジパネル１１６が回転するように結合される下部ヒンジパネル１２２を構成する。
【００２５】
ここで、開閉パネル１１２及び下部ヒンジパネル１２２は、それぞれカバー部材１１０と便座シート１２０の後方側の中央部に構成されたり、後方部の両側に互いに対応する形状に形成されてもよい。
【００２６】
このように構成された便座シート１２０には、洋式便器とカバー部材１１０及び便座シート１２０を連結し、用便後カバー部材１１０と便座シート１２０の位置を変更させて洋式便器内の汚物が洋式便器の外部に飛散することを防止すると共に、この汚物がカバー部材１１０の内面部と、便座シート１２０の内面及び外面の全てを汚染させることを防止する回転アセンブリ２００が構成されている。
【００２７】
回転アセンブリ２００は、洋式便器に結合され、カバー部材１１０と便座シート１２０の回転作動を支持する回転支持パネル２１０と、回転支持パネル２１０に回転作動されるように結合し、カバー部材１１０と便座シート１２０を洋式便器に連結する回転部材２２０と、便座シート１２０に結合され、回転部材２２０の端部と連結される連結フランジ２３０を含んで構成される。
【００２８】
回転支持パネル２１０は、固定ボルト、スクリューなどのような締結手段によって洋式便器に結合されるよう両側部に締結孔２１４が形成され、内部に回転部材２２０の回転ボール２２２が収容される回転ガイド溝２１２が形成されている。
【００２９】
回転ガイド溝２１２は、回転ボール２２２に対応する形状、すなわち、球状をなすように構成され、回転部材２２０と連結される便座シート１２０が回転部材２２０の連結軸２２４の円周方向に沿って回転されるよう、回転部材２２０の回転作動を支持する構成要素である。
【００３０】
ここで、本発明の回転支持パネル２１０には、回転ガイド溝２１２の前方部を貫通して回転部材２２０の連結軸２２４が挿入され、この連結軸２２４が回転ボール２２２を中心に一定の角度だけ上下回転可能にする軸貫通ホール２２６が形成されている。
【００３１】
軸貫通ホール２２６は、回転ガイド溝２１２から回転支持パネル２１０の後方側に貫通形成されるが、前記後方側に向かうほどその直径が次第に広がる形態で構成される。
【００３２】
そのため、本発明の洋式便器用カバーは、図４（ｃ）及び（ｄ）に示すように、カバー部材１１０と便座シート１２０の位置変更時に、洋式便器から一定の距離だけ離隔させることが可能になることで、変更を容易に行うことができる。
【００３３】
回転部材２２０は、回転支持パネル２１０の回転ガイド溝２１２に３６０°回転されるように球状からなる回転ボール２２２と、この回転ボール２２２の後方に一体に延長形成される連結軸２２４と、便座シート１２０の後方面に構成され、連結軸２２４の後方側の先端部が回転自在に結合される連結フランジ２３０を含んで構成される。
【００３４】
ここで、連結軸２２４は、後方側の先端部が便座シート１２０に構成された連結フランジ２３０と回転されるように結合されるものであって、回転支持パネル２１０と便座シート１２０との結合が行われるようにする。
【００３５】
このような連結軸２２４は、前方側先端部に回転ボール２２２が構成され、後方側の端部には連結フランジ２３０と回転結合されるようにするカバー連結部２２６を構成する。
【００３６】
カバー連結部２２６は、ヒンジなどのような回転手段を介して連結フランジ２３０に結合され、前記回転手段を中心に上下回転されるよう構成されるものであって、便座シート１２０がカバー連結部２２６から回転作動されるようにする。
【００３７】
すなわち、図４（ａ）〜（ｃ）に示すように、便座シート１２０が連結フランジ２３０に備えられる回転手段の軸中心を基準にして、上下方向に回転される。
【００３８】
連結フランジ２３０は、連結軸２２４の端部に構成されるカバー連結部２２６が回転作動できるように結合され、カバー部材１１０が結合された状態の便座シート１２０と回転支持パネル２１０に結合された回転部材２２０とを連結する役割をする。
【００３９】
このような連結フランジ２３０は、便座シート１２０が連結フランジ２３０及びカバー連結部２２６を連結するヒンジの軸中心を基準にして上下回転されるようにする。
【００４０】
このように構成された本発明は、開閉パネル１１２及び下部ヒンジパネル１２２によってカバー部材１１０が便座シート１２０から上下方向に一定の角度だけ回転作動されるように構成され、便座シート１２０が回転部材２２０の連結軸２２４の円周方向に沿って１８０°又は３６０°回転作動しながら、カバー部材１１０の外面が洋式便器の開放された上部を密閉させることで、洋式便器の内部にある汚物が外部に飛散することを防止できることはもちろん、汚物によってカバー部材１１０の内面及び便座シート１２０の内外面の全てが汚染されることを防止できる。
【００４１】
一方、本発明の洋式便器用カバーは、図５に示すように、カバー部材１１０及び便座シート１２０が連結軸２２４の円周方向に沿って回転しながら位置変更されるとき、洋式便器の内部に一定量の水を自動供給するように水出し装置３００をさらに構成してもよい。
【００４２】
水出し装置３００は、回転部材２２０が回転支持パネル２１０の回転ガイド溝２１２で回転作動されるとき発生する回転力を用いて、洋式便器に構成された水出し手段１０を作動させ、洋式便器内に汚物を排出するための水の供給を行うことによって、洋式便器用カバーの位置変更のための作動だけでも自動で水出しが行われることで、ユーザはより便利に洋式便器を用いることができるのであろう。
【００４３】
このような水出し装置３００は、回転部材２２０に構成された回転ボール２２２の外周面に構成され、前記回転ボール２２２の回転時に発生する回転力を伝達する駆動スプロケット３２０と、駆動スプロケット３２０から提供される回転力によって左右方向に回転作動する回転スプロケット３４０と、回転スプロケット３４０とに構成され、前記回転スプロケット３４０が回転するとき左右方向に対する回転力を上下方向に切り替えながら、水出し手段１０を作動させる作動スプロケット３５０、前記駆動スプロケット３２０と回転スプロケット３４０を連結する駆動ベルト３３０と、作動スプロケット３５０と水出し手段１０を連結する作動ベルト３６０とを含んで構成される。
【００４４】
また、水出し装置３００には、回転支持パネル２１０の回転ガイド溝２１２の内周面に形成され、回転ボール２２２に構成された駆動スプロケット３２０及びが駆動スプロケット３２０の噛み合いが行われる駆動ベルト３３０の作動を可能にする第１移動号を３１２が形成される。
【００４５】
また、回転支持パネル２１０の一側端部に貫通形成され、駆動ベルト３３０と回転スプロケット３４０との噛み合いを行う第２移動号を３１４が形成される。
【００４６】
すなわち、駆動スプロケット３２０は回転支持パネル２１０の内部に構成され、回転スプロケット３４０は回転支持パネル２１０の外側に構成される。
【００４７】
さらに、本発明では、回転支持パネル２１０の外側に構成される回転スプロケット３４０と、作動スプロケット３５０及び作動ベルト３６０が外部に露出されることを防止するように駆動カバー（図示せず）をさらに構成することはもちろんである。
【００４８】
このような水出し装置３００は、洋式便器用カバーの位置を変更するために便座シート１２０を回転させると、便座シート１２０と連結された回転ボール２２２が回転しながら駆動スプロケット３２０を回転させ、駆動スプロケット３２０は、回転ボール２２２により提供される回転力を駆動ベルト３３０を介して回転スプロケット３４０側から伝達される。
【００４９】
そして、回転スプロケット３４０は、前方に形成される作動スプロケット３５０に前記回転力を伝達し、作動スプロケット３５０と水出し手段１０とを連結する作動ベルト３１０を作動して水出し手段１０を下向き移動することで、洋式便器内に一定量の水が供給されるように構成し得る。
【００５０】
以上で記載された「含む」、「構成する」又は「有する」などの用語は、特に反対となる記載がない限り、該当の構成要素が内在することを意味するため、他の構成要素を除外するものではなく、他の構成要素をさらに含むものとして解釈されなければならず、技術的又は科学的な用語を含んでいる全ての用語は、相違に定義されない限り、本発明が属する技術分野で通常の知識を有する者によって一般に理解されるものと同じ意味を有する。
【００５１】
また、以上の説明は、本発明の技術思想を例示的に説明したものに過ぎず、本発明が属する技術分野で通常の知識を有する者であれば、本発明の本質的な特性から逸脱しない範囲で様々な修正及び変形が可能であろう。したがって、本発明に開示された実施形態は、本発明の技術思想を限定するためのものではなく、説明するためのものであるため、このような実施形態により本発明の技術思想の範囲が限定されることはない。本発明の保護範囲は、次の請求範囲によって解釈されるべきであり、それと同等な範囲内にある全ての技術思想は、本発明の権利範囲に含まれるものと解釈されなければならないのであろう。
【産業上の利用可能性】
【００５２】
本発明は、洋式便器内の汚物を除去するとき水圧によって汚物が飛散しながらカバーの内面部及びシートの内外面の全てを汚染させることを防止することで、洋式便器用カバー及びシートを清潔に管理できる洋式便器用カバーに利用される。
【符号の説明】
【００５３】
１１０：カバー部材
１２０：開閉パネル
２００：回転アセンブリ
２１０：回転支持パネル
２２０：回転部材
２２２：回転ボール
２２４：連結軸
２２６：カバー連結部材
２３０：連結フランジ
３００：水出し装置
【図１】
2019534761.tif 000003
【図２】
2019534761.tif 000004
【図３】
2019534761.tif 000005
【図４】
2019534761.tif 000006
【図５】
2019534761.tif 000007
【国際調査報告】
2019534761.tif 000008
2019534761.tif 000009
2019534761.tif 000010
2019534761.tif 000011